(57)【要約】【課題】滑り止め機能の付いた縦横両方向伸びるパワーネットを提供することである。【解決手段】パワーネット地の裏側に、滑り止め用スパンデックス糸を４コースから５０コースごとに同一ウェールまたは１ウェールあるいは２ウェール移動させて挿入し、パワーネット伸縮用スパンデックス糸に前記滑り止め用スパンデックス糸よりも強い張力をかけることによって前記滑り止め用スパンデックス糸をパイル状に突出させる。【選択図】図１
2011063919.tif 000002
【特許請求の範囲】
【請求項１】
パワーネット地の裏側に、滑り止め用スパンデックス糸を４コースから５０コースごとに同一ウェールまたは１ウェールあるいは２ウェール移動させて挿入し、パワーネット伸縮用スパンデックス糸に前記滑り止め用スパンデックス糸よりも強い張力をかけることによって前記滑り止め用スパンデックス糸をパイル状に突出させた滑り止め機能付パワーネット。
【発明の詳細な説明】
【技術分野】
【０００１】  この発明は、滑り止め機能付きパワーネットに関する。
【背景技術】
【背景技術】
【０００２】  例えばパワーネットの裏に滑り止めの樹脂、例えばシリコンを線状又は帯状に接着した商品が開発された。しかしこれは、シリコン樹脂の触感に違和感をとなえる人やかぶれをおこす人の苦情が多かった。また洗濯するにつれて滑り止め効果がおちたり、コスト高になる不利があった。【０００３】  また裏面にパイルを形成する技術としては特許第２７３５７８３号があるが、スパンデックスの様な高伸縮糸ではパイルを形成することが出来なかった。ましてやパイルを同じ大きさに統一させることは不可能なことであった。またパイルの傾く方向を統一させることもできなかった。【０００４】  またパイルを形成する技術としては特許第４０５６２１９号があるが、この地組織はレース組織の為、縦方向にしか伸びず、縦横両方向に伸びる滑り止め機能の付いた素材が求められていた。
またレース組織だとコストが高くなる為、コストダウンが求められていた。
【発明の概要】
【発明の課題】
【０００５】  上記の問題を解決した滑り止め機能付きパワーネットを提供することである。
【課題を解決するための手段】
【０００７】  上記の課題を解決するために、この発明においては、パワーネット伸縮用スパンデックス糸を挿入したパワーネット地の裏側に、滑り止め用スパンデックス糸を４コースから５０コースごとに同一ウェールまたは１ウェールあるいは２ウェール移動させて挿入し、前記パワーネット伸縮用スパンデックス糸に前記滑り止め用スパンデックス糸よりも強い張力をかけることによって前記滑り止め用スパンデックス糸をパイル状に突出させたのである。
また、前記滑り止め用スパンデックス糸を、４コースから５０コース毎に１ウェール右方向に移動しながら１コース挿入させ、その後１ウェール左方向に移動しながら１コース挿入させるという動作を繰り返し全てのパイル状突出を左方向に統一して傾かせることができる。
さらに、前記滑り止め用スパンデックス糸を、４コースから５０コース毎に１ウェール左方向に移動しながら１コース挿入させ、その後１ウェール右方向に移動しながら１コース挿入させるという動作を繰り返し全てのパイル状突出を右方向に統一して傾かせることができる。
【実施の形態】
【０００８】  以下、この発明の実施形態の１例を添付図面に基づいて説明する。図１がこの発明の滑り止め機能付パワーネットの組織図である。Ｌ１、Ｌ２でパワーネットの地組織を作る。Ｌ１、Ｌ２に使用されるのは、ナイロン糸やポリエステル糸が使用される。Ｌ３、Ｌ４で地組織に伸縮性を出す。Ｌ３、Ｌ４に使用されるのはパワーネットの伸縮性を出す為のスパンデックス糸である。Ｌ１、Ｌ２、Ｌ３、Ｌ４で通常の６コースパワーネットが完成する。図２がＬ５の滑り止め用スパンデックス糸の組織図である。滑り止め用スパンデックス糸滑り止め用スパンデックス糸は滑り止め効果をもたらす為に挿入されている。Ｌ３、Ｌ４のパワーネット伸縮用のスパンデックス糸の張力を強く、Ｌ５の滑り止め挿入糸（スパンデックス糸）の張力を弱くすることで、編地にパイルを形成する。Ｌ１、Ｌ２、Ｌ３、Ｌ４、Ｌ５はラッセル機の筬のことであり、筬の動きはＬ１が２４／４２／４６／４２／２４／２０／／、Ｌ２が４２／２４／２０／２４／４２／４６／／、Ｌ３が００／２２／／、Ｌ４が２２／００／／、Ｌ５が００／２２／２２／２２／２２／２２／２２／２２／２２／２２／２２／２２／／というように動かせる。糸の通し方は、Ｌ１，Ｌ２，Ｌ３，Ｌ４は１ｉｎ１ｏｕｔで通し、Ｌ５はａｌｌ  ｉｎで通す。
【０００９】  しかし従来の技術では、パワーネット地に伸縮性のない糸を挿入することでパイル状に形成することは可能であったが、高伸縮糸でパイルを形成することは不可能であった。なぜなら通常パイルを形成する場合、パワーネット伸縮用のスパンデックス糸とパイル形成糸は同じ張力で挿入するか、パイル形成糸を消極的に挿入する方法しかなかったからである。しかしこの発明で使用される滑り止め用スパンデックス糸は高伸縮糸である為、滑り止め用スパンデックス糸の糸長が上記方法で挿入すると部分部分で極端に変化する。つまり４滑り止め挿入糸（スパンデックス糸）が伸びている時に挿入された部分の糸の長さと、縮んだときに挿入された部分の糸の長さが極端に異なる為、一定のパイルの大きさに統一することが不可能である為である。
【００１０】  よってこの発明のパワーネットではＬ３、Ｌ４の筬に挿入されるパワーネット伸縮用のスパンデックス糸、Ｌ５の筬に挿入される滑り止め用スパンデックス糸の糸の供給部分にそれぞれ積極送り装置を取り付けることにより、それぞれの糸の張力をコントロールすることを可能にした。滑り止め用スパンデックス糸の張力を弱く、３パワーネット伸縮用のスパンデックス挿入糸の張力を強く、常に一定に管理することにより高伸縮糸によるパイル地の形成が可能になった。
【００１１】  図１の場合、経糸に挿入された３滑り止め挿入糸は１１コース後、１ウェール右に挿入され、１コース後、元に戻るという動作をくり返している。滑り止め用スパンデックス糸にはスパンデックス糸等の高伸縮糸が使用される。挿入糸の太さは７０デニールから９００デニールまで可能だが、特に４２０デニール以上から８４０デニールまでが好ましい。
【産業上の利用可能性】
【００１２】この発明のパワーネットを取り付けたウエストニッパーを着用した。このウエストニッパーは縦、横両方向に伸び、しかも人体と接する面全体に滑り止め用のスパンデックスが出てる為、滑りにくく、素材が縦横両方向に伸びる為、フィット感も良く、体を曲げたりしてもずれない商品が出来た。また滑り止め用スパンデックス糸が一方向に傾いてる為、滑り止め効果の方向性も出すことが出来た。通常ウエストニッパーは着用後、体の上部の方へずれようとするが、このパワーネットの滑り止めが方向性を持っている為、付け方次第で、体の下部方向にはズレるが、上部方向にはズレないというウエストニッパーを作る事もできる。またストッキング、サポーター、ブラジャー、ガードル等の女性下着、伸縮性を必要とする生地を使用した衣類やファンデーション、サポーターに使用することにより、着用後のズレ落ちを軽減する商品を作ることが出来る。
【発明の効果】
【００１３】この発明の滑り止めパワーネットによればかぶれにくく、低コストで、左右両方向に伸縮する素材で、しかも洗濯しても滑り止め効果が落ちない滑り止めパワーネットができた。
【図面の簡単な説明】
【００１４】
【図１】この発明の滑り止め機能付パワーネットの組織図。
【図２】この発明の滑り止め機能付パワーネットを生地方向にカットした断面図。
【図３】この発明の滑り止め機能付パワーネットの裏面図。
【図４】この発明の滑り止め機能付パワーネットを使用したウエストニッパーの図。
【符号の説明】
【００１５】１  パワーネットの地組織を形成する糸
２  パワーネットの伸縮性を出す為のスパンデックス糸
３  滑り止め用スパンデックス糸
４  この発明の滑り止め機能付パワーネット
５  この発明の滑り止め機能付パワーネットを使用したウエストニッパー
６  人体のウエスト部
【図１】
2011063919.tif 000003
【図２】
2011063919.tif 000004
【図３】
2011063919.tif 000005
【図４】
2011063919.tif 000006